(57)【要約】【課題】自転車および二輪車の車体に備えたパイプ内に収納できるようにしたワイヤー錠において、内径にばらつきのあるパイプに対しても一様にワイヤー錠を収納、保持できるようにする。【構成】ワイヤー２とシリンダー錠機構１をパイプＢ内に収納されるようにしたワイヤー錠において、パイプの端部Ｂ’に、内径をパイプの外径に略等しく形成したの前端部５を具えたスリーブＡを外嵌し、スリーブの後端部６からワイヤーとシリンダー錠機構を収納するとともに、シリンダー錠機構の端部１’をスリーブの外端面に当接させる一方、シリンダーケースａに備えた周溝７に嵌めた弾性体８を、シリンダー錠機構に備えたキーの回転施錠操作により、パイプの端面の外側でシリンダーケース外に膨出させ、この膨出部２３とスリーブの後端部の内周面と逆止段部Ａ”との圧接によってワイヤー錠をパイプ内に保持させるように構成したワイヤー錠である。【選択図】　　　図１
2004084323.tif 000002
【特許請求の範囲】
【請求項１】
パイプの内径に見合った適宜の外径と長さとを有して略円柱形に構成されたシリンダー錠機構の内端に、二つ折り状態にしたワイヤーの一端を結着して固定端部とし、他端を、上記シリンダー錠機構の内端部に着脱自在に備えた施錠レバーに固定して自由端部とし、二つ折りにしたワイヤーの内端を先にしてシリンダー錠機構とともにパイプ内に挿入して、ワイヤーとシリンダー錠機構をパイプ内に収納されるようにしたワイヤー錠において、
該ワイヤー錠を収納するパイプの端部に、内径をパイプの外径に略等しく形成した筒形の前端部を具えたスリーブを外嵌し、このスリーブの後端部から前記ワイヤーとシリンダー錠機構を収納し、大径に形成したシリンダー錠機構の端部を上記スリーブの外端面に当接させる一方、上記シリンダーケースに備えた周溝に嵌合した環状の弾性体を、シリンダー錠機構に備えたキーの回転施錠操作により、上記パイプの端面の外側でシリンダーケース外に膨出させ、この膨出部を上記スリーブの後端部の内周面と逆止段部とに圧接させてワイヤー錠をパイプ内に保持させるように構成したことを特徴とするパイプ内に収納されるワイヤー錠。
【請求項２】
前記スリーブは、前記前端部の内面に、前記パイプの端部を当接させるように形成した嵌め止まり段部を設けたことを特徴とする請求項１記載のパイプ内に収納されるワイヤー錠。
【発明の詳細な説明】
【０００１】
【産業上の利用分野】
本発明は、主として、開放端面を備えた自転車のハンドルのようなパイプ内に収納されるようにしたワイヤー錠に関し、錠前にシリンダー錠機構を用い、パイプ内で錠前を施錠状態にすることによって外周に備えた環状の弾性体を膨出させ、この膨出部と、パイプの端部に嵌着したスリーブの内周面との圧接によりワイヤー錠の収納状態を保持させるようにしたことを特長とするものである。
【０００２】
【従来の技術】
従来、この種のワイヤー錠には、例えば特開平８−２０７８４６号公報がある。
この先願のワイヤー錠は、比較的に長尺のワイヤーを用いる必要があること、ハンドル部内に収納されるワイヤーの内端部を抜け止めする抜け止め部をハンドル部内に設ける必要があることから、ワイヤー錠を自転車と一体に装着しなければならず、装着方法とワイヤー錠の使用に制限があるという欠点があった。
また、本出願人の先願に、特願２００２−１３６９９７号がある。この先願のワイヤー錠は、シリンダー錠機構をパイプ内で施錠状態にすることにより、該錠機構の外周に備えた環状の弾性体を膨出させ、この膨出部をパイプの内周面に圧接、密着させることにより、ワイヤー錠の収納状態を保持させるようにしたものであるが、ワイヤー錠を収納すべきパイプの内径（自転車においてはハンドル部分の内径）に個々にばらつきがあって、シリンダー錠機構に付設した弾性体の膨出部がパイプの内周面に対して圧接、密着し難い場合があり、パイプ内への収納が画一的にできないという問題があった。
【０００３】
【発明が解決しようとする課題】
このようなことから、本発明が解決しようとする課題は、ワイヤー錠全体をパイプ内から取り出せるようにすること、自転車等への取り付けを容易にすること、内径にばらつきのあるパイプに対しても一様にワイヤー錠を収納、保持できるようにすることにある。
【０００４】
【課題を解決するための手段】
そこで本発明は、パイプの内径に見合った適宜の外径と長さとを有して略円柱形に構成されたシリンダー錠機構の内端に、二つ折り状態にしたワイヤーの一端を結着して固定端部とし、他端を、上記シリンダー錠機構の内端部に着脱自在に備えた施錠レバーに固定して自由端部とし、二つ折りにしたワイヤーの内端を先にしてシリンダー錠機構とともにパイプ内に挿入して、ワイヤーとシリンダー錠機構をパイプ内に収納されるようにしたワイヤー錠において、
該ワイヤー錠を収納するパイプの端部に、内径をパイプの外径に略等しく形成した筒形の前端部を具えたスリーブを外嵌し、このスリーブの後端部から前記ワイヤーとシリンダー錠機構を収納し、大径に形成したシリンダー錠機構の端部を上記スリーブの外端面に当接させる一方、上記シリンダーケースに備えた周溝に嵌合した環状の弾性体を、シリンダー錠機構に備えたキーの回転施錠操作により、上記パイプの端面の外側でシリンダーケース外に膨出させ、この膨出部を上記スリーブの後端部の内周面と逆止段部とに圧接させてワイヤー錠をパイプ内に保持させるように構成したことを特徴とするパイプ内に収納されるワイヤー錠を提供するものである。
【０００５】
上記のように、パイプ内に収納したワイヤー錠を施錠操作によりパイプに装着したスリーブ内に保持させるようにした本発明ワイヤー錠は、シリンダー錠機構に対する開錠操作によりパイプ内からワイヤー錠全体を取り出すことができる。かつ、パイプの内径にばらつきのある場合でも環状の弾性体の膨出部が圧接し逆止されるスリーブの内周面の内径は一定であるから、ワイヤー錠の保持には差し支えがない。なお、多くの場合、パイプの外径精度は一定であるから本発明に係るスリーブの嵌着に支障しない。以上のようにして本発明は前記の課題を解決したものである。
【０００６】
スリーブの内端部の内面に、パイプの端部を当接させるように形成した嵌め止まり段部を設けた請求項２の発明によれば、パイプの端部に対するスリーブの嵌合位置が上記嵌め止まり段部との当接により一定する。したがって、パイプの端部を外れた位置に膨出する膨出部とスリーブの内周面との圧接位置も一定し、本発明に係るワイヤー錠の収納状態を略一定に形成させることができる。
【０００７】
【実施例】
図面に示す実施例は、端面を開放した自転車のハンドル部内に収納するようにした場合のもので、以下に本発明をこの実施例について説明する。
図１は、本発明に係るワイヤー錠の収納状態を示す一部切欠側面図、図２は、主としてシリンダー錠機構とワイヤーの取付け状態を示す一部切欠断面図、図３は、シリンダー錠機構とスリーブとパイプ（ハンドルとグリップ）を示す一部切欠分解斜視図、図４は、ワイヤー錠の一部切欠斜視図、図５は、ワイヤー錠の一部切欠分解斜視図、図６の（ａ）は弾性体の膨出部の形成状態を説明するシリンダー錠機構の拡大断面図、同図（ｂ）は膨出部の消滅状態を説明する拡大断面図である。
【０００８】
図において、１は、収納されるパイプＢ（ハンドル部）の内径に見合った外径と長さとを有して略円柱形に形成されるシリンダーケースａとシリンダーｂとからなるシリンダー錠機構、
２は、シリンダーケースａの内端部（図示左端）に一端を結着して固定端部とし、他端をシリンダー錠機構１の内端部に着脱自在に備えた施錠レバー３に取付け用軸３’で一体に固定されて自由端部として、二つ折り状態に屈折させたワイヤー、４はワイヤー２の屈折部２’に嵌着した結束用のリングである。
シリンダー錠機構１とワイヤー２とで構成したワイヤー錠Ｄは、結束用のリング４を先にして、図１に示すようにパイプＢ内に収納される。
【０００９】
Ａは、パイプＢ（ハンドル部）の端部Ｂ’に嵌着したスリーブ、スリーブＡの前端部５は、パイプＢの外径に略等しく形成した内径を具え、外周面を同じく端部Ｂ’に嵌着させたグリップＣに覆われる。
６は、上記内端部５に連続するスリーブＡの後端部で、略円柱形に形成されるシリンダーケースａを適宜の間隙の下で挿通し、大径に形成されたシリンダー錠機構１の外端部１’を外端面に当接させて、ワイヤー錠Ｄの挿入状態を保つ。
なお、スリーブＡの前端部５と後端部６の境界部分の内周面には、パイプＢ（ハンドル部）の内径を適宜に上回る内径を有して、環状に形成された嵌め止まり段部Ａ’と逆止段部Ａ”との２段の段部を具え、嵌め止まり段部Ａ’は、パイプＢ（ハンドル部）の端部Ｂ’との嵌め合い深さを一定に制限し、逆止段部Ａ”は、シリンダー錠機構１の施錠状態において後述のゴム製の弾性体８の膨出部２３と係合して、ワイヤー錠Ｄの後退を阻止するように機能する。
【００１０】
上記のようにしてパイプＢ内に収納されるシリンダーケースａは、図２に示すように中間に設けた周溝７に、スリーブＡの後端部６の内周面に沿うように、断面が内端側を小径にしたテーパー状で、かつ、環状に形成したゴム製の弾性体８を嵌め込み、該周溝７の底には、図５、６に示すように、後述のキー２１の回転操作角度に対応させて直径方向に対向する嵌合孔９を設ける。
また、周溝７に嵌着するゴム製の弾性体８は、内周面の直径方向に、図２、４および図５に示すように、上記嵌合孔９の孔幅と対応する２個の凸条１０を一体に設け、この凸条１０を図６に示すように上記嵌合孔９に嵌め込んでいる。
一方、シリンダーケースａ内に嵌装されるシリンダーｂには、図２、４および図５に示すように、上記周溝７と対応する位置に、上記嵌合孔９と間隔を等しくして、直径方向で対向する作動部１１を形成させるように周面を一部切除して切欠部１２を設ける。
【００１１】
なお、シリンダーｂは、図１、２に示すように、内端部にばねの嵌め込み孔１３を具えた凸条１４に反撥ばね１５を嵌め込み、該ばね１５に付勢させて、前面に楔形の突出部１６を具えた断面コ字形のスライドレバー１７を連接し、このスライドレバー１７を、シリンダーケースａに貫設したガイド孔１８に摺動自在に嵌合させ、前面の突出部１６をシリンダーケースａの内端部に設けた受け座１９に着脱自在に嵌合する前記施錠レバー３の端面の凹部２０に嵌合させて、この凹部２０と突出部１６との弾性的な係合により、施錠レバー３と受け座１９との嵌合状態を常時保持させるようにしている。
【００１２】
前述のようにしてシリンダー錠機構１の外端部１’をスリーブＡの端面に臨出させてパイプＢ内に収納されたワイヤー錠Ｄは、シリンダーケースａの端面に具えた鍵穴２２にキー２１を差し込むと、通常のシリンダー錠機構と同様に、シリンダーｂが回転可能になる。
そして、差し込んだキー２１を施錠位置に回転させると、図６の（ａ）に示すように、シリンダーｂの作動部１１の回動により弾性体８の凸条１０の内端が押し上げられる。嵌合孔９内で押し上げられる凸条１０の上昇とともに、弾性体８は、シリンダーケースａの外側に向かって同上図６の（ａ）中に虚線で示すように膨らみ膨出部２３を形成する。
【００１３】
上記弾性体８の膨出部２３は、実際上はスリーブＡの後端部６の内周面に圧接して、ワイヤー錠Ｄを収納位置に保持する。と同時に、前述のように逆止段部Ａ”と係合してワイヤー錠Ｄを抜け止めする。
なお、シリンダー錠機構１が施錠状態にあるとき、キー２１は抜き出し可能になり、携行できるようになることも、従来の錠機構の場合と同様である。また、キー２１と係合するタンブラー片等、シリンダーｂの内部構造については説明を省略する。
【００１４】
次に、パイプＢに収納されているワイヤー錠Ｄを取り出すときの操作を説明する。
初めに、図６の（ａ）の状態において鍵穴２２に所定のキー２１を挿入して開錠位置まで回転する。
キー２１の開錠回転操作に従動してシリンダーｂが回転すると、作動部１１による押し上げが解除されるので、環状の弾性体８は、自体に具わっている復元力により、図６の（ｂ）に示すように嵌合孔９内の凸条１０を下降させるとともに、スリーブＡの後端部６の内周面に圧接していた膨出部分２３を解消するとともに逆止段部Ａ”の内径内に縮小してスリーブＡからワイヤー錠Ｄの保持を開放し、パイプＢ外へ取り出せる状態にする。
【００１５】
パイプＢとスリーブＤの外に取り出したワイヤー錠Ｄは、上述のように開錠操作のままで開錠状態にある。したがって、通常のワイヤー錠として収納場所とは無関係に使用できる。そして、受け座１９の両脇に図示のように形成した凹部２４に指先を入れて施錠レバー３を持ち、前記した凹部２０と突出部１６との弾性的な係合に抗して図４の上方に向けてワイヤー２の自由端部と施錠レバー３を引き上げると、ワイヤー２と施錠レバー３とが開放状態になる。
【００１６】
そして、ワイヤー２の長さに応じて任意の物体、例えば前輪と前ホーク、後輪と後ホーク、パイプポストと立木などに巻回し、ワイヤー２の自由端部と施錠レバー３を再び図４に示すように受け座１９に嵌め込む。
なお、この実施例では、ワイヤー２の自由端部と施錠レバー３が取付け用軸３’を介して互いに揺動可能に接続されているので、ワイヤー２を被施錠物に巻回する場合の巻回操作とか、施錠操作が比較的に容易にできる。
【００１７】
次いで、キー２１を施錠位置に回すと、シリンダーｂの内端の凸条１４が回転により角度を変え、断面コ字形のスライドレバー１７の突出している両端に接触し、反撥ばね１５の圧縮とスライドレバー１７の後退が阻止されて、施錠レバー３を施錠状態に維持する一方で、キー２１を携行可能にする。
【００１８】
本発明の実施に際して、スリーブその他各部の態様は図示した態様に限られるものではなく、本発明の要旨に沿って態様を適宜に設計変更できることはいうまでもない。
また、ワイヤー錠Ｄを収納するパイプＢ及びスリーブＡは、自転車のハンドル部への装着に限らず、自転車その他二輪車の車体の適宜位置にワイヤー錠Ｄを収容できるパイプＢを設ける場合もある。
【００１９】
【発明の効果】
前記のように構成され、上記のように用いられるようにした本発明によれば、パイプに対する加工は不要である。収納と取り出しが簡単で容易にできる。製造上の理由から内径にばらつきの多いパイプであっても外径は高い寸法精度を具えているので、実施例に述べるように自転車のハンドル部への取り付けが容易にでき、収納したワイヤー錠の保持が均一にできる。本発明は以上のようにきわめて有用である。
【図面の簡単な説明】
【図１】図１は、本発明に係るワイヤー錠の収納状態を示す一部切欠側面図
【図２】図２は、主としてシリンダー錠機構とワイヤーの取付け状態を示す一部切欠断面図
【図３】図３は、シリンダー錠機構とスリーブとパイプ（ハンドルとグリップ）を示す一部切欠分解斜視図
【図４】図４は、ワイヤー錠の一部切欠斜視図
【図５】図５は、ワイヤー錠の一部切欠分解斜視図
【図６】図６の（ａ）は、弾性体の膨出部の形成状態を説明するシリンダー錠機構の拡大断面図
図６の（ｂ）は、膨出部の消滅状態を説明する拡大断面図である。
【符号の説明】
Ａ　スリーブ　　（Ａ’　嵌め止まり段部　　Ａ”　逆止段部）
Ｂ　パイプ　　（Ｂ’　端部）
Ｃ　グリップ
Ｄ　ワイヤー錠
１　シリンダー錠機構　　（１’　外端部）
ａ　シリンダーケース
ｂ　シリンダー
２　ワイヤー　　（２’　屈折部）
３　施錠レバー　　（３’　取付け用軸）
４　結束用リング
５　スリーブの前端部
６　スリーブの後端部
７　周溝
８　環状の弾性体
９　嵌合部
１０　凸条
１１　作動部
１２　切欠部
１３　嵌め込み孔
１４　凸条
１５　反撥ばね
１６　突出部
１７　スライドレバー
１８　ガイド孔
１９　受け座
２０　凹部膨出部
２１　キー
２２　鍵穴
２３　膨出部
２４　凹部
【図１】
2004084323.tif 000003
【図２】
2004084323.tif 000004
【図３】
2004084323.tif 000005
【図４】
2004084323.tif 000006
【図５】
2004084323.tif 000007
【図６】
2004084323.tif 000008